(57)【要約】【課題】プローブを装着した状態でも、既存の医療用の手袋やカバーが使用可能な生体情報測定プローブを提供する。【解決手段】使用者の指に、貼り付け引き剥がし可能に取り付けられ、生体情報を取得する生体情報測定プローブであって、生体情報を取得する測定部３１と、シート部材２と、情報伝達部３とを備え、シート部材２は、測定部３１が配置される配置領域２２と、配置領域２２から突出して形成された領域であって、測定部３１から前方向に向かって延びる先部２３と、配置領域２２を間に挟んで情報伝達部３が延びる方向と交差する方向に延びるとともに、配置領域２２から離れるに伴い前記後方向へ傾いて形成された一対の巻き付け部２１Ｒ，２１Ｌと、シート部材２に設けられ使用者の指に貼り付け、引き剥がし可能な粘着部５を備えていることを特徴とする生体情報測定プローブ。【選択図】図１
2018114020.tif 000002
【特許請求の範囲】
【請求項１】
使用者の指に着脱可能に取り付けられ、接触した被検体の生体情報を取得する生体情報測定プローブであって、
前記被検体の生体情報を取得する測定部と、
前記使用者の指と対向する一方の面に前記測定部が配置され、他方の面が前記被検体と接触するシート部材と
前記測定部と外部との間に配置され前記生体情報を前記測定部から前記外部へ伝達可能にする情報伝達部と、
を備え、
前記シート部材は、前記測定部が配置される配置領域と、
前記配置領域から突出して形成された領域であって、前記情報伝達部が延びる方向のうちの前記測定部から離れる方向である後方向とは反対の前方向に向かって延びる先部と、
前記配置領域を間に挟んで前記配置領域から、前記情報伝達部が延びる方向と交差する方向に延びるとともに、前記配置領域から離れるに伴い前記後方向へ傾いて形成された一対の巻き付け部と、
前記シート部材における前記使用者の指と対向する面に設けられ、前記使用者の指に貼り付け、引き剥がし可能な粘着部と、
を備えていることを特徴とする生体情報測定プローブ。
【請求項２】
前記測定部は、前記配置領域のうちの前記先部側の領域に設けられていることを特徴とする請求項１に記載の生体情報測定プローブ。
【請求項３】
前記測定部を前記シート部材との間に挟み、前記測定部を前記配置領域に固定する保護シール部材を更に有することを特徴とする請求項１または２に記載の生体情報測定プローブ。
【請求項４】
前記測定部は前記被検体の血液に関する生体情報を取得するセンサであることを特徴とする請求項１から請求項３のいずれか一項に記載の生体情報測定プローブ。
【請求項５】
前記測定部は、所定の波長の光を照射する光源部と、前記光源部からの光を主に受光する受光部を有し、前記配置領域の前記光源部及び前記受光部が配置される部分には、前記光を透過する光透過部が設けられていることを特徴とする請求項１から請求項４のいずれか１項に記載の生体情報測定プローブ。
【請求項６】
前記測定部は、所定の波長の光を照射する光源部と、前記光源部からの光を主に受光する受光部を有し、前記保護シール部材の前記光源部及び前記受光部が配置される部分には、前記光を透過する光透過部が設けられていることを特徴とする請求項３に記載の生体情報測定プローブ。
【発明の詳細な説明】
【技術分野】
【０００１】
本発明は、生体情報の測定に用いて好適な生体情報測定プローブに関する。
【背景技術】
【０００２】
患者の生体情報を測定するプローブを、その関心領域に接触させて測定を行う生体情報測定プローブが知られている（特許文献１参照。）。この生体情報測定プローブは、生体情報の測定を行う測定部に、バンド状の保持手段が設けられている。当該プローブを用いて検査を行う検査者は、このバンド状の保持手段によって測定部を自身の指などに固定し、固定された測定部の測定面を関心領域に接触させて生体情報の測定を行う。
【先行技術文献】
【特許文献】
【０００３】
【特許文献１】特開平１０−２３４７３７号公報
【発明の概要】
【発明が解決しようとする課題】
【０００４】
このようなプローブでは、生体情報を測定する際にプローブの測定面を患者の皮膚などの関心領域に接触させる必要がある。通常、このようなプローブを患者に接触させて検査を行う場合には、感染症などの防止のために、患者と接触する部分を清浄にする必要がある。このためこの様なプローブを使用する検査者は、医療用の手袋を装着したり、プローブに清浄なカバーを被せるなどしたりして検査を行う。一方、上述の特許文献１に記載された技術では、プローブを検査者の指にバンド状の保持手段を用いて固定するため、検査者は、プローブを装着したままではプローブの測定部が医療用の手袋に引っかかってしまい、既存の医療用手袋を使用することが難しいという問題があった。また、プローブを装着したまま医療用手袋を装着できたとしても、測定部と手袋の内側の面との摩擦によってプローブの測定部が動いてしまうため、測定部を所望の位置に固定するのが難しいという問題もあった。このため、使用者は、医療用の手袋を装着した上から当該プローブの測定部を装着し、更にその上からプローブの測定部位に専用のカバーを被せるか、プローブ自体を滅菌しなければならなかった。
【０００５】
本発明は、上記の課題を解決するためになされたものであって、装着した測定部が動きにくく、プローブを装着した状態でも、既存の医療用の手袋やカバーが使用可能な生体情報測定プローブを提供することを目的とする。
【課題を解決するための手段】
【０００６】
上記目的を達成するために、本発明は、以下の手段を提供する。
本発明の生体情報測定プローブは、使用者の指に着脱可能に取り付けられ、接触した被検体の生体情報を取得する生体情報測定プローブであって、前記被検体の生体情報を取得する測定部と、前記使用者の指と対向する一方の面に前記測定部が配置され、他方の面が前記被検体と接触するシート部材と前記測定部と外部との間に配置され前記生体情報を前記測定部から前記外部へ伝達可能にする情報伝達部とを備え、前記シート部材は、前記測定部が配置される配置領域と、前記配置領域から突出して形成された領域であって、前記情報伝達部が延びる方向のうちの前記測定部から離れる方向である後方向とは反対の前方向に向かって延びる先部と、前記配置領域を間に挟んで前記配置領域から、前記情報伝達部が延びる方向と交差する方向に延びるとともに、前記配置領域から離れるに伴い前記後方向へ傾いて形成された一対の巻き付け部と、前記シート部材における前記使用者の指と対向する面に設けられ、前記使用者の指に貼り付け、引き剥がし可能な粘着部とを備えていることを特徴とする。
【０００７】
本発明の生体情報測定プローブによれば、被検体の生体情報を取得する測定部は、生体情報測定プローブのシート部材の配置領域に配置される。そしてこのシート部材は、その一方の面に備えられた粘着部によって生体情報測定プローブが装着される使用者の指に着脱可能に取り付けられる。またシート部材には、先部と一対の巻き付け部が設けられており、それぞれが使用者の指の対応する部分に貼り付けられる。
【０００８】
上記発明においては、前記測定部は、前記配置領域のうちの前記先部側の領域に設けられていることを特徴とすることが好ましい。
このようにすることにより被検体の生体情報を取得する測定部は、使用者の指の先側に配置されることになる。
【０００９】
上記発明においては、前記測定部を前記シート部材との間に挟み、前記測定部を前記配置領域に固定する保護シール部材を更に有することを特徴とすることが好ましい。
このようにすることにより測定部は、使用者の指に貼り付けられるシート部材と、保護シール部材との間に挟まれて固定されることになる。
【００１０】
上記発明においては、前記測定部は前記被検体の血液に関する生体情報を取得するセンサであることを特徴とすることが好ましい。
このようにすることにより、本発明による生体情報測定プローブは、被検体の血中酸素飽和度やヘモグロビン値、及び脈拍などの血液に関連する生体情報を収集することが可能となる。
【００１１】
上記発明においては、前記測定部は、所定の波長の光を照射する光源部と、前記光源部からの光を主に受光する受光部を有し、前記配置領域の前記光源部及び前記受光部が配置される部分には、前記光を透過する光透過部が設けられていることを特徴とすることが好ましい。
【００１２】
上記発明においては、前記測定部は、所定の波長の光を照射する光源部と、前記光源部からの光を主に受光する受光部を有し、前記保護シール部材の前記光源部及び前記受光部が配置される部分には、前記光を透過する光透過部が設けられていることを特徴とすることが好ましい。
【発明の効果】
【００１３】
本発明の生体情報測定プローブは、一方の面に粘着部が備えられたシート部材を備えている。このシート部材には、生体情報の測定が行われる測定部が配置される配置領域と、一対の巻き付け部と先部が設けられている。このシート部材の一方の面には粘着部が設けられており、この粘着部によってシート部材は使用者の指に貼り付けられて固定される。また、シート部材の前側に延びる先部は使用者の指の前側（先側）の部分に貼り付けられ、また巻き付け部は使用者の指に巻き付けられて貼り付けられる。このため、本発明の生体情報測定プローブを装着した状態で使用者の指に既存の医療用の手袋やカバーを装着する場合であっても、装着した生体情報測定プローブが装着の邪魔になりにくく、また、医療用の手袋等を装着しても使用者の指に固定した測定部がずれにくいという効果を有する。
【図面の簡単な説明】
【００１４】
【図１】図１（ａ）は、本発明による生体情報測定プローブの一実施形態の裏面を示す図である。図１（ｂ）は、本発明による生体情報測定プローブの一実施形態の表面を示す図である。
【図２】図２（ａ）は、本発明による生体情報測定プローブの構成部品の一つであるＦＰＣケーブルを示す図である。図２（ｂ）は、本発明による本発明による生体情報測定プローブの構成部品の一つであるカバーシールを示す図である。
【図３】本発明による生体情報測定プローブの測定部の拡大図である。
【図４】図４（ａ）は、本発明による生体情報測定プローブを使用者の指先に装着した例を示す側面図である。図４（ｂ）は、本発明による生体情報測定プローブを使用者の指先に装着した例を示す正面図である。
【発明を実施するための形態】
【００１５】
この発明の一実施形態に係る生体情報測定プローブについて、図１から図４を参照しながら説明する。
＜構成の説明＞
はじめに本実施形態に係る生体情報測定プローブ１の構成について説明する。なお、本実施形態では、生体情報測定プローブ１を用いる検査者（以降において使用者とも記載する。）が、生体情報測定プローブ１を、使用者の指先に装着して患者の生体情報を取得する例に適用して以降の説明を行う。また、以降の説明における前後、左右、表裏の方向は、図中に示す方向とする。
【００１６】
本実施形態に係る生体情報測定プローブ１は、装着シート部２、ＦＰＣケーブル３、及びカバーシール４から主に構成されている。
装着シート部２は、後述する生体情報を収集する測定部３１が配置される部分であり、検査を行う使用者の任意の指に装着される部分である。装着シート部２は、柔軟性のあるシート部材が略Ｙ字状に形成されたものである。装着シート部２に用いられるシート部材としては、布や柔軟性のある公知の素材からなるシートが利用可能ある。なお、シート部材は、所定の強度を有した非伸縮性の公知の素材が用いられている。
【００１７】
装着シート部２の裏面（図２（ａ）にて表されている面）は、使用者が生体情報測定プローブ１を装着する際に、使用者の指と接触する面である。この装着シート部２の裏面には、粘着性を有した粘着部５が設けられている。この粘着部５は、粘着性を有した公知の材料であり、装着シート部２の裏面に塗布されて設けられている。粘着部５の粘着性は、装着シート部２を使用者の指等に貼り付けても再び剥がすことができる特性を有したものである。この粘着部５が装着シート部２の裏面に設けられていることで、装着シート部２を使用者の指に貼り付け、引き剥がし可能に貼り付けることが可能となっている。
【００１８】
装着シート部２の中央の略長方形の領域が中央部２２である。この中央部２２から左右に向かって斜めに延びている略台形の部分が巻き付け部２１Ｒ及び巻き付け部２１Ｌである。また、中央部２２から前側から前方に向かって延びる略三角形の部分が指先部２３である。換言すれば、巻き付け部２１Ｒ、巻き付け部２１Ｌ及び指先部２３のそれぞれに囲まれた領域が中央部２２である。
【００１９】
中央部２２は、後述する測定部３１が配置される部分であり、使用者の主に指の腹（指の指紋のある方の側）の部分に配置される部分である。なおこの中央部２２の反対側の面は、測定の際に主に患者の測定部位（患者の生体情報が測定される部分）に触れる接触部３７である（図１（ｂ）参照。）。
【００２０】
巻き付け部２１Ｒと巻き付け部２１Ｌ（以降において総称して巻き付け部２１とも記載する。）は、中心軸線Ａ（ＦＰＣケーブル３が延びる前後方向に延び、且つ装着シート部２及びＦＰＣケーブル３の中心を通る中心線）を中心とした線対称の形状をしている。この巻き付け部２１は、装着シート部２を使用者の指に装着した際に、指の周囲に巻かれて貼り付けられる部分である。中央部２２は、この巻き付け部２１が指に巻かれて貼り付けられることで、外部から左右方向に力が加わっても、使用者の指に固定される。なお、巻き付け部２１Ｒの後側（ＦＰＣケーブル３が延びる方向の側）の辺２６Ｒと中心軸線Ａとがなす角度、及び、巻き付け部２１Ｌの後側の辺２６Ｌと中心軸線Ａとがなす角度は９０度よりも小さな角度となっている。そのため、辺２６Ｒと辺２６Ｌとがなす角度は、１８０度よりも小さな角度となっている。本実施形態では、辺２６Ｒと中心軸線Ａとがなす角度、及び、辺２６Ｌと中心軸線Ａとがなす角度が同じ角度であり、かつ、辺２６Ｒと辺２６Ｌのなす角度が約１６０度である例に適用して以降の説明を行う。なお、巻き付け部２１Ｒの中心軸線Ａと略平行をなしている辺が、辺２７Ｒであり、巻き付け部２１Ｌの中心軸線Ａと略平行をなしている辺が、辺２７Ｌである。
【００２１】
指先部２３は、使用者の指に装着された際に、主に使用者の指先の部分に貼り付けられる部分である。指先部２３は前方向に所定の長さで延びており、その前側の一部を装着シート部２が貼り付けられる指の指先にて折り曲げて、その指の爪側の面に貼り付けることができる。
【００２２】
本実施形態における装着シート部２が、特許請求の範囲におけるシート部材とされている。また指先部２３が、特許請求の範囲における先部と、巻き付け部２１Ｒ及び巻き付け部２１Ｌが特許請求の範囲における巻き付け部と、中央部２２が特許請求の範囲における配置領域とされている。
【００２３】
ＦＰＣケーブル３は、フレキシブルプリント配線板（Ｆｌｅｘｉｂｌｅ  ｐｒｉｎｔｅｄ  ｃｉｒｃｕｉｔｓ）と呼ばれるシート材であり、薄膜状に加工された柔軟性のある導電体を、絶縁性を持った薄く柔らかいフィルム素材にて挟んだ部材である。本実施形態では、ＦＰＣケーブル３の外側がシート状の保護部材７にて囲まれている（挟まれている）例に適用して説明を行うが、保護部材７を設けない構成としてもよい。ＦＰＣケーブル３の一方の端部には、生体情報を収集する測定部３１が設けられており、もう一方の端部には、図示されていない接続部６が設けられている。この接続部６は、図示されていない生体情報収集装置が接続される部分である。ＦＰＣケーブル３には、測定部３１と接続部６を電気的に接続する図示されていない複数の配線回路が設けられている。この配線回路によって測定部３１を構成する電気素子と図示されていない生体情報収集装置の対応する電気回路とが接続部６を介して電気的に接続される。本実施形態におけるＦＰＣケーブル３及び接続部６が、特許請求の範囲における情報伝達部とされている。
【００２４】
測定部３１には、生体情報を取得するための電気素子が配置される部分である。本実施形態では、生体情報測定プローブ１が、光を用いて被検体の血中の酸素化状態を測定するプローブ（オキシメータ用プローブ）である例に適用して説明すると、測定部３１の表側の面には、発光ダイオードであるＬＥＤチップ３４と、光検出器であるＰＤチップ３２ａ及びＰＤチップ３２ｂが主に配置されている（図３参照。）。ＬＥＤチップ３４は、外部の生体情報収集装置からの信号に従って、患者の関心領域に照射される光を発光する発光ダイオードである。なお、ＬＥＤチップ３４の表側の面には光を照射する部分である発光部３５ａ及び発光部３５ｂが設けられている。
【００２５】
本実施形態では、この発光部３５ａ及び発光部３５ｂが、それぞれ波長の異なる近赤外線又は赤外線の光を発光する例に適用して以降の説明を行う。なお、ＬＥＤチップ３４は発光した光が装着シート部２の裏面から表面に向かう方向に照射される向きで、即ちＬＥＤチップ３４の発光部３５ａ及び発光部３５ｂ（以降において発光部３５ａ及び発光部３５ｂを発光部３５とも記載する。）が装着シート部２の表面と同じ側となる様に配置されている。なお図３において、測定部３１を装着シート部２の中央部２２に配置した際に、後述するＬＥＤ用穴２４が配置される場所が、ＬＥＤ用穴配置位置２４ａとして破線で表されている。また、後述するＰＤ用穴２５が配置される場所が、ＰＤ用穴配置位置２５ａとして破線で表されている。
【００２６】
ＰＤチップ３２ａ及びＰＤチップ３２ｂ（以降においてＰＤチップ３２ａ及びＰＤチップ３２ｂをＰＤチップ３２とも記載する。）は、主に被検体を透過したＬＥＤチップ３４からの光を受光し、電気信号に変換する受光素子であり、いわゆるフォトダイオードである。ＰＤチップ３２の表面には、被検体を透過した透過光を主に受光する受光部３３がそれぞれ設けられている。なお、ＰＤチップ３２は、装着シート部２の表面から裏面に向かう方向の光が主に受光できる様に、即ちＰＤチップ３２のそれぞれの受光部３３が設けられている面が、装着シート部２の表面と同じ側となるように配置されている。
【００２７】
なお、ＰＤチップ３２及びＬＥＤチップ３４（以降においてこれらを総称して電気素子とも記載する）は、いずれも公知の半導体技術によって必要な電気回路、電気素子が集約されてチップ化されている。このため特にそれらの厚さは、装着シート部２と後述する遮光板３６の厚さを加えた厚さと略同一程度の厚さとなっている。測定部３１の各電気素子は、それぞれＦＰＣケーブル３の導電性のある所定の部分に、それぞれ公知の方法によって固定され、且つ電気的に接続されている。なお、ＬＥＤチップ３４（発光部３５ａ及び発光部３５ｂ）とＰＤチップ３２ａとの距離、及びＬＥＤチップ３４（発光部３５ａ及び発光部３５ｂ）とＰＤチップ３２ｂとの距離が所定の距離となる様に、ＰＤチップ３２ａとＰＤチップ３２ｂ及びＬＥＤチップ３４はそれぞれ配置されている。
【００２８】
本実施形態におけるＬＥＤチップ３４、又は発光部３５ａ及び発光部３５ｂが、特許請求の範囲における光源部とされている。また、本実施形態におけるＰＤチップ３２ａ、及びＰＤチップ３２ｂが、特許請求の範囲における受光部とされている。
【００２９】
前述した装着シート部２の中央部２２における、ＬＥＤチップ３４が配置される部分には、円形状の貫通孔であるＬＥＤ用穴２４が設けられている。ＬＥＤチップ３４が発光した光は、このＬＥＤ用穴２４を通過して被検体に照射される。また、中央部２２のＰＤチップ３２が配置される部分には、矩形状の貫通孔であるＰＤ用穴２５が設けられている。ＬＥＤチップ３４から照射され、被検体を透過した透過光の一部が、このＰＤ用穴２５を通過してＰＤチップ３２に入射する。このＰＤ用穴２５及びＬＥＤ用穴２４は、中央部２２の指先部２３の近傍の部分に設けられている。換言すれば、ＬＥＤチップ３４及びＰＤチップ３２は、指先部２３に近い部分に配置されることになる。なお、ＰＤ用穴２５及びＬＥＤ用穴２４は、光を透過する材質から構成されていてもよい。なお本実施形態におけるＰＤ用穴２５及びＬＥＤ用穴２４が、特許請求の範囲における光透過部とされている。
【００３０】
測定部３１と中央部２２の間には、測定部３１と略同一の大きさをした遮光板３６が設けられている（図３参照。）。即ち、測定部３１の表面と、中央部２２の裏面に挟まれて遮光板３６が設けられている。この遮光板３６の、ＬＥＤチップ３４が配置される部分には、ＬＥＤチップ３４と略同一の大きさの貫通孔が設けられている。また、遮光板３６のＰＤチップ３２ａ及びＰＤチップ３２ｂが配置される部分にも、配置されているＰＤチップ３２ａ及びＰＤチップ３２ｂを挿通することが可能な大きさの貫通孔が設けられている。遮光板３６は、薄膜状に加工された光を透過しない特性を有した柔軟性のあるゴムなどの公知の素材からできており、ＬＥＤチップ３４からの光が不要な部分に拡散するとともに、被検体からの透過光以外の光がＰＤチップ３２に入射することを防ぐものである。なおこの遮光板３６を備えない構成としてもよい。
【００３１】
カバーシール４は、測定部３１の裏側の面を全体的に覆う薄膜状のシール部材で、公知のシート状の非道電性部材からできている。測定部３１は、装着シート部２の中央部２２と、カバーシール４の間に挟まれて配置される。カバーシール４は、測定部３１よりも大きい（広い）ため、測定部３１と接する以外の部分は主に装着シート部２の裏面と接触し、公知の方法により接着されている。なお、本実施形態におけるカバーシール４が、特許請求の範囲における保護シール部材とされている。
＜生体情報測定プローブ１の組立＞
生体情報測定プローブ１は、以下の様に組み立てられる。
【００３２】
まず、装着シート部２の裏面の中央部２２に、ＦＰＣケーブル３の測定部３１の表面（ＰＤチップ３２やＬＥＤチップ３４が配置されている面）を公知の方法によって接着する。この際、中央部２２と測定部３１の表面との間に遮光板３６を挟んで接着する。なお、測定部３１は、ＬＥＤチップ３４、及びＰＤチップ３２がそれぞれＬＥＤ用穴２４、ＰＤ用穴２５と合うようにその位置を調整し、ＬＥＤチップ３４及びＰＤチップ３２が実装されている面が装着シート部２の表面と同じ側となる様に配置する。換言すれば、装着シート部２を表面から見た際に、中央部２２に設けられたＰＤ用穴２５及びＬＥＤ用穴２４から、ＰＤチップ３２のそれぞれの受光部３３、及びＬＥＤチップ３４の発光部３５ａ及び発光部３５ｂが見えるように測定部３１を配置して接着する。次に、測定部３１の裏面を覆うように、カバーシール４を貼り合わせる。この時、カバーシール４の測定部３１と接する以外の部分は、装着シート部２の裏面に接着する。
＜使用方法及び作用の説明＞
次に生体情報測定プローブ１の作用について、その使用方法と共に説明を行う。
＜装着方法＞
はじめに、生体情報測定プローブ１の装着方法について説明をする。
【００３３】
まず、装着シート部２の粘着部５が設けられている面（裏面）を使用者の任意の指に貼り付けて、装着シート部２を使用者の指に装着する。本実施形態では生体情報測定プローブ１を、使用者の人差し指に装着する例に適用して以降の説明を行うと、まず、中央部２２の裏面を使用者の人差し指の先の部分であって、その指の腹の部分（指の指紋のある方の面の部分）に貼り付けて固定する。このとき、指先部２３が指先に、ＦＰＣケーブル３が人差し指の付け根の方になる様に生体情報測定プローブ１を配置する。装着シート部２の裏面には、粘着部５が設けられているため、中央部２２は粘着部５の粘着力によって、使用者の人差し指に貼り付けられる。なお、ＬＥＤチップ３２及びＰＤチップ３４は中央部２２の指先部２３に寄った部分に設けられているため、この時、ＰＤチップ３４及びＬＥＤチップ３４は人差し指の指先の位置に配置されることになる。
次に、巻き付け部２１Ｒの辺２７Ｒの近くの部分を持ちながら、巻き付け部２１Ｒを人差し指に巻き付ける。続いて巻き付け部２１Ｌの辺２７Ｌの近くの部分を持ちながら、巻き付け部２１Ｒを人差し指に巻き付ける（図４参照。）。なお、巻き付け部２１の巻き付けの順番は任意で、先に巻き付け部２１Ｌを巻き付けてもよい。このようにすること、生体情報測定プローブ１は左右方向に固定される。即ち、指先に貼り付けた装着シート部２に外部から左右方向に力が加わっても、装着シート部２は動きにくくなる。なお、巻き付け部２１Ｒを指に巻き付ける際には、使用者は、装着シート部２の中央部２２を指先の指の腹部分に配置し、巻き付け部２１Ｒの辺２７Ｒの近くを持って装着シート部２を指から離れる方向に少し引っ張りながら巻き付け部２１Ｒを指の周囲に巻き付ける。この際、前述の様に、巻き付け部２１Ｒはそれぞれ後ろ側に傾いて延びる略台形形状をしているため、辺２７Ｒの近くの部分を持って加えられた力は、巻き付け部２１Ｒを指に巻き付ける方向の他、後ろ側にも分散されることになる。このことは、巻き付け部２１Ｌを指に巻き付ける場合も同様である。このため、巻き付け部２１を巻き付ける方向に不要な力が加わることを防ぐことが可能となる。
【００３４】
続いて、指先部２３を人差し指の指先に貼り付ける。なお、指先部２３の使用者の人差し指の指先より先に飛び出す部分は、指先にて折り返して人差し指の爪側に貼り付ける（図４参照）。この様にすることで、生体情報測定プローブ１が、前後方向に対しても固定される様になる。
【００３５】
装着シート部２が使用者の指に固定されたら、被検体の測定を行う。被検体の測定を行う際には、使用者の生体情報測定プローブ１を装着した手に、医療用の透明な手袋を装着する。続いて、生体情報測定プローブ１の接続部６を、図示されていない生体情報収集装置に接続する。この生体情報収集装置との接続は、図示されていない接続ケーブルを介して行われてもよい。
【００３６】
生体情報を測定するために、被検体の関心領域を、生体情報測定プローブ１を装着した指にて触る。このとき、測定部３１のＰＤチップ３２及びＬＥＤチップ３４が配置されている部分が、被検体の関心領域に最も近接する様にして触る。そして、図示されていない生体情報収集装置を操作して測定を行う。
【００３７】
測定を開始すると、ＬＥＤチップ３４の発光部３５ａ及び発光部３５ｂが生体情報収集装置からの発光信号に従って発光する。このとき発光部３５ａ及び発光部３５ｂは、それぞれ異なる波長の光を発光する。発光部３５ａ及び発光部３５ｂからの光は、ＬＥＤ用穴２４及び透明の医療用手袋を透過して、被検体に照射される。照射された光の一部は被検体の内部を透過し、透過光としてＰＤチップ３２の受光部３３に到達する。具体的には、医療用手袋及びＰＤ用穴２５を介してＰＤチップ３２ａ及びＰＤチップ３２ｂのそれぞれの受光部３３に到達する。透過光を受光したＰＤチップ３２は受光した光を電気信号に変換する。当該電気信号は、図示されていない増幅器や制御器によって処理されて、生体情報収集装置に伝達される。
【００３８】
生体情報収集装置に伝達された信号は、公知の方法によって処理され、被検体の血液に関する生体情報である血中酸素飽和度やヘモグロビン値などが算出される。算出されたそれらの生体情報は、生体情報収集装置の表示部に表示されたり、図示されていない表示装置等に数値やグラフとして表示されたりされる。
【００３９】
測定が終了すると、使用者は医療用手袋を取り外し、更に生体情報測定プローブ１を取り外す。生体情報測定プローブ１の装着シート部２は、粘着部５によって着脱可能に使用者の人差し指に貼り付けられているため、その取り外しは容易である。
【００４０】
上記の構成からなる生体情報測定プローブ１によれば、生体情報の収集を行う測定部３１が、柔軟性のあるシート状の部材からなる装着シート部２によって使用者の指に固定される。このため使用者が生体情報測定プローブ１を装着した状態で、既存の手袋や滅菌カバーなどを更に装着する場合であっても生体情報測定プローブ１が手袋等の装着の邪魔になりにくい。更に測定部３１に配置されている電気素子はチップ化されており、特にその厚さは装着シート部２の厚さとほぼ同程度であるため、更に邪魔になりにくくなっている。また、装着シート部２の表側の面（接触部３７が設けられている面）を摩擦の少ない滑らかな面とすれば、更に医療用の手袋の装着を容易にすることができる。
【００４１】
また、装着シート部２は巻き付け部２１Ｒ及び巻き付け部２１Ｌを備えている。この巻き付け部２１Ｒ及び巻き付け部２１Ｌが使用者の指に巻かれて貼り付けられることにより、装着シート部２は、即ち中央部２２に配置された測定部３１は、指の左右方向に対して固定される。更に、装着シート部２は、使用者の指先の部分に貼り付けられる指先部２３も有していることから、中央部２２に配置された測定部３１は、指先の前後方向（指先から指の付け根に向かう方向、及びその逆の方向）に対しても固定される。このため、例えば使用者が生体情報測定プローブ１を指に装着した状態で、公知の医療手袋などを装着する場合であっても、医療手袋との摩擦によって装着シート部２がはがれてしまうことを防ぐことができる。また、装着シート部２が巻き付け部２１及び指先部２３によって固定されることで、使用者が検査に伴う作業のために生体情報測定プローブ１を装着した指を動かしても、装着シート部２がしっかりと使用者の指に固定され、ずれにくくなっている。
【００４２】
更に、測定部３１は、中央部２２の指先部２３側の領域に配置されているため、測定部３１を使用者の指の先端の近傍に配置することも可能である。このため、生体情報測定プローブ１を装着した指を体内に挿入し、指先が接触した体内の部分の領域の生態情報を収集したりすることも可能となる。また、装着シート部２は柔軟性のあるシート部材であることから、任意の形に変形させることもできるため、使用者の指の大きさやその太さの影響を受けることなく様々な使用者に装着することが可能である。また、人差し指以外の指に装着することも可能である。更には、装着シート部２の後側の辺である辺２６Ｒと辺２６Ｌがなす角度は１８０度より小さな角度となっており、巻き付け部２１はそれぞれ後ろ側に斜めに延びた略台形の形状をしている。このため、巻き付け部２１Ｒ及び巻き付け部２１Ｌを指に巻き付ける際に、その巻き付けるための力が巻き付け方向の他、後ろ方向にも分散し、不要な巻き付け方向の力が指にかかることを防ぐことが期待できる。このため、生体情報測定プローブ１を指に装着した際に、その指が不要な巻き付けの力によって鬱血してしまうことを防ぐことが期待できる。また、装着シート部２を伸縮性のない部材によって構成していることから、指に巻き付けた巻き付け部２１が収縮してしまうことによって生じる指の鬱血を防ぐことが期待できる。
【００４３】
また、生体情報測定プローブ１には、測定部３１を中央部２２との間に挟んで覆うカバーシール４を備えている。このカバーシール４は、ＰＤチップ３２やＬＥＤチップ３４などの電気素子が配置されている測定部３１を、使用者の指の汗や皮脂などから保護する事ができる。また、測定部３１を固定するための取り付け部品などを設ける事なく、カバーシール４と中央部２２の間に測定部３１を配置して固定することで、装着シート部２の測定部３１が配置される部分の厚さを薄くする事ができる。このため、生体情報測定プローブ１を装着して既存の医療用の手袋やカバーなどを更に装着する場合であっても邪魔になりにくい。
【００４４】
また生体情報測定プローブ１は、生態情報の測定に赤外線や近赤外線の光を用いた測定部３１を有しており、その測定部３１は使用者の指先などに配置されている。このため、生体情報測定プローブ１を装着した使用者の指を患者等の関心領域に触れるだけの簡単な操作で、関心領域の血中酸素飽和度やヘモグロビン値などの血液に関する生体情報を収集することが可能である。
【００４５】
なお、本発明の技術範囲は上記実施形態に限定されるものではなく、本発明の趣旨を逸脱しない範囲において種々の変更を加えることが可能である。例えば上記実施形態では、装着シート部２の裏側の面とカバーシール４の間に測定部３１が配置された例について説明を行ったが、測定部３１が装着シート部２の表側に配置され、その測定部３１の表側の面をカバーシール４が覆う構成としてもよい。即ち、装着シート部２の表側の面とカバーシール４の間に測定部３１が挟まれて固定され、カバーシール４の表側の面が被検体と接触する接触部３７となる様な構成してもよい。この際、ＰＤ用穴２５及びＬＥＤ用穴２４が、カバーシール４に設けられることになる。
【００４６】
また上記実施形態では、カバーシール４が、装着シート部２の一部を覆う程度の大きさである例に適用して説明したが、カバーシール４が装着シート部２と略同一の大きさの構成であってもよい。また、上記実施形態では、使用者の指の腹の部分に装着シート部２を貼り付けて生体情報測定プローブ１を装着する例に適用して説明したが、装着シート部２が貼り付けられ、接触部３７を被検体の関心領域に接触できる部分であれば、装着シート部２を使用者のその他の部分や、使用者以外の機器などに貼り付けても構わない。例えば、使用者の指の爪側の部分に測定部３１を配置して生体情報測定プローブ１を装着したり、人差し指以外の指に装着したりしてもよい。また、生体情報測定プローブ１を例えば手術用ロボットやマニピュレータなどの装置の患者と接触する部分の先端部に装着したり、患者に接触させて使用する他の検査機器の先端部などに装着したりしてもよい。
【００４７】
また、生体情報測定プローブ１が生体情報を取得する被検体は、患者（人間）に限定される訳ではなく、動物などの生体であってもよく、更には生体情報が取得可能な組織や器官であってもよい。また、測定部３１が取得する生体情報は血液に関する情報に限定される訳ではなく、体温など生体情報測定プローブ１を関心領域に接触させて測定可能な他の生体情報であってもよい。また、測定部３１はそのための情報を取得する為の公知の生体情報を測定する素子が組み合わされて配置されたものであってもよい。
【符号の説明】
【００４８】
１・・・生体情報測定プローブ        ２・・・装着シート部
３・・・ＦＰＣケーブル    ４・・・カバーシール  ５・・・粘着部
６・・・接続部    ７・・・保護部材    ２１Ｒ，２１Ｌ・・・巻き付け部
２２・・・中央部    ２３・・・指先部    ２４・・・ＬＥＤ用穴
２４ａ・・・ＬＥＤ用穴配置位置    ２５・・・ＰＤ用穴
２５ａ・・・ＰＤ用穴配置位置    ２６Ｒ，２６Ｌ，２７Ｒ，２７Ｌ・・・辺
３１・・・測定部    ３２ａ，３２ｂ・・・ＰＤチップ    ３３・・・受光部
３４・・・ＬＥＤチップ    ３５ａ，３５ｂ・・・発光部
３６・・・遮光板    ３７・・・接触部
【図１】
2018114020.tif 000003
【図２】
2018114020.tif 000004
【図３】
2018114020.tif 000005
【図４】
2018114020.tif 000006